(57)【要約】【課題】  コンクリート構造物を構築するときに仮設材を用いる場合に、仮設材の取り外しの手間を小さくしながら、仮設材がコンクリート構造物の構築の邪魔となることを防止することができる仮設材支持装置を提供する。【解決手段】  橋桁ブロックＢの地覆１３には、アンカーボルト１４が設けられており、アンカーボルト１４には、仮設柵２を取り付けるための仮設さや管装置３が取り付けられている。仮設さや管装置３は、さや管３４が取り付けられたヒンジ機構３３を備えるとともに、さや管３４の起立状態を維持するピン３６がピン挿入孔３５に挿入されて設けられている。起立状態にあるさや管３４およびさや管３４に取り付けられた仮設柵２は、ピン３６を引き抜くことにより、倒伏状態となる。【選択図】図１
2014105473.tif 000002
【特許請求の範囲】
【請求項１】
仮設材を構造物上で揺動可能に支持する仮設材支持装置であって、
前記構造物に固定される固定部と、
前記仮設材を支持する支持部と、
前記固定部に対して前記支持部を支持し、前記仮設材を揺動させる揺動機構と、
前記支持部の静止位置を規制する位置規制部と、
を備えることを特徴とする仮設材支持装置。
【請求項２】
前記位置規制部は、前記支持部の両側で、前記支持部の移動方向に沿って延在する一対のブラケットと、
前記一対のブラケットに形成されたピン貫通孔を貫通するピンと、を備え、
前記ピン貫通孔から前記ピンが引き抜かれて、前記支持部が移動可能となる請求項１に記載の仮設材支持装置。
【請求項３】
前記支持部は、前記仮設材の下端部を挿入する筒体または突出軸体であり、
前記一対のブラケットは、前記筒体または突出軸体の側壁に外側から当接する請求項２に記載の仮設材支持装置。
【請求項４】
前記構造物は、コンクリート構造物であり、
前記コンクリート構造物には、当該コンクリート構造物の上面から突出し上下方向に延在するアンカーが設けられ、
前記固定部には、前記アンカーが貫通する貫通孔が設けられている請求項１〜３の何れか１項に記載の仮設材支持装置。
【請求項５】
前記構造物は、橋桁を構成する橋桁用ブロックである請求項１〜４の何れか１項に記載の仮設材支持装置。
【請求項６】
前記橋桁用ブロックの側部には、橋面よりも一段高い地覆が設けられており、
前記地覆の上面に前記固定部を固定するアンカーボルトまたはアンカー鉄筋が設けられている請求項５に記載の仮設材支持装置。
【請求項７】
前記橋桁用ブロックは、門型をなすゲートを通過して所定の位置に配設されるものであり、
前記ゲートにおける上端辺および下端辺の幅は、前記橋桁用ブロックの幅よりも狭くされ、
前記ゲートにおける高さ方向途中位置に、前記橋桁用ブロックの幅よりも広く拡幅部が形成されており、
前記橋桁用ブロックが前記ゲートを通過する際、前記仮設材が倒伏状態とされる請求項５または請求項６に記載の仮設材支持装置。
【発明の詳細な説明】
【技術分野】
【０００１】
本発明は、仮設材支持装置に関する。
【背景技術】
【０００２】
構造物などを構築する際、構造物などに本設される手すりや柵などを設ける前に、構築中の構造物からの物や人の落下を防止するために、仮設材としての手すりや柵などが設けられることがある。また、この種の仮設材は、通行者が安心して高所端部を通行するために設けられたり、線路直上や道路直上でも列車や車両を止めること無く立ち入りを可能にするために、設けられたりすることがある。この種の仮設材として、建築物におけるパイプなどを支持する建築用仮設材支持金具が開示されている（たとえば、特許文献１参照）。
【０００３】
この建築用仮設材支持金具は、断面Ｌ字状の第１部材と第２部材とをバルコニー立ち上がり部に設けて構成されている。第１部材と第２部材とは、その間隔を調整しつつボルト接合されており、その上面にサポート支持部材および仮設手摺支持部材が取り付けられているというものである。
【先行技術文献】
【特許文献】
【０００４】
【特許文献１】特開平８−３１９７２４号公報
【発明の概要】
【発明が解決しようとする課題】
【０００５】
ところで、この種の仮設材は、建築物以外の橋梁などのコンクリート構造物で用いられることがある。この場合、コンクリート構造物を構築している間に、仮設材が必要となる場合と不要となる場合とがあり、時に仮設材がコンクリート構造物を構築する際の邪魔となる可能性があるという問題があった。特に、コンクリート構造物をプレキャストコンクリートによって構築する場合、プレキャストコンクリートを搬送する際に仮設材が邪魔となる可能性が高くなる。
【０００６】
この問題に対して、たとえばコンクリート構造物を構築する際に、仮設材が一時的に不要な場合、または可動体などと接触する可能性がある（支障する）場合、特に、プレキャストコンクリートを搬送する際に、仮設材を取り外しておくことが考えられる。ところが、仮設材が不要なときに仮設材を外すとすると、仮設材を取り外す手間がかかってしまう。特に、プレキャストコンクリートを搬送する場合であって、搬送の前後それぞれで仮設材を利用する場合には、仮設材の取り外しの機会が多くなり、その手間がよりかかるものであった。一度取り外された仮設材をさらに再度組み立てる手間も必要となってしまう。
【０００７】
そこで、本発明は、仮設材を用いる場合に、仮設材の取り外しの手間を省略し、仮設材が邪魔となることを防止することができる仮設材支持装置を提供することを課題とする。
【課題を解決するための手段】
【０００８】
上記課題を解決した本発明に係る仮設材支持装置は、仮設材を構造物上で揺動可能に支持する仮設材支持装置であって、構造物に固定される固定部と、仮設材を支持する支持部と、固定部に対して支持部を支持し、仮設材を揺動させる揺動機構と、支持部の静止位置を規定する位置規定部と、を備えることを特徴とする。
【０００９】
本発明に係る仮設材支持装置は、仮設材を支持する支持部を備え、支持部を揺動させる揺動機構を備えている。このため、仮設材を揺動させて位置を変えることができるので、仮設材が邪魔となることを防止することができる。また、仮設材は揺動機構によって容易に位置を変化させることができるので、仮設材の取り外しの手間を無くすことができる。その結果、仮設材を用いる場合に、仮設材の取り外しの手間を省略し、仮設材が邪魔となることを防止することができる。なお、仮設材の支柱がはめられる支持部はコンクリート構造物に、後施工アンカーを打設することによっても容易に準備することができる。
【００１０】
ここで、位置規制部は、支持部の両側で、支持部の移動方向に沿って延在する一対のブラケットと、一対のブラケットに形成されたピン貫通孔を貫通するピンと、を備え、ピン貫通孔からピンが引き抜かれて、支持部が移動可能となるようにすることができる。また、このピンはピン先端が屈曲可能な構造もしくはネジ構造を有していればさらに抜け防止機能を有することになる。さらにピンを本体にチェーン等でつなげておけば無くならないようにすることができる。
【００１１】
このように、一対のブラケットにピンを貫通させることで、ピンを支持部の移動方向と交差するように配置することができるので、支持部の位置をピンによって規制することができる。また。ピン貫通孔からピンを引き抜くことで、支持部の位置を容易に変化させることができる。例えば、ピン貫通孔からピンが引き抜かれて、支持部にはめられた仮設材の支柱が起立状態から倒伏状態となるようにしてもよい。これにより、仮設材を確実に起立状態とすることができるとともに、仮設材の起立状態と倒伏状態を容易に変化させることができる。また、予め設定した中間斜め状態（例えば傾斜角４５度で傾斜する状態）も可能である。
【００１２】
また、支持部は、仮設材の下端部を挿入する筒体または突出軸体であり、一対のブラケットは、筒体または突出軸体の側壁に外側から当接するようにすることができる。例えば、筒体であるさや管を備える構成としてもよい。一対のブラケットが、筒体の側壁に外側から当接するので、筒体の移動を一対のブラケットによって案内することができる。
【００１３】
また、構造物は、コンクリート構造物であり、コンクリート構造物には、当該コンクリート構造物の上面から突出し上下方向に延在するアンカーが設けられ、固定部には、アンカーが貫通する貫通孔が設けられていてもよい。これに仮設材支持装置を固定し、仮設材の位置を変化させることで、仮設材がコンクリート構造物の邪魔となることを防止することができる。その結果、コンクリート構造物を構築するときに仮設材（仮設の手すりや仮設柵）を用いる場合に、仮設材の取り外しの手間を省略し、仮設材がコンクリート構造物の構築の邪魔となることを防止することができる。
【００１４】
さらに、構造物は、橋桁を構成する橋桁用ブロックとすることができる。
【００１５】
橋桁用ブロックの側部には、橋面よりも一段高い地覆が設けられており、一般的には当該地覆の上面に本設（永久構造または完成時）の壁高欄を固定するためのアンカーボルトあるいはアンカー鉄筋が設けられている。なお、代表的な地覆寸法は幅２５０ｍｍ、橋面からの突出高さ２００ｍｍである。
【００１６】
そして、橋桁用ブロックは、初めにブロック同士を接合組立する際には支持部を起立状態とすることで組立時の作業柵（仮設材）を提供する。次に桁架設装置の門型をなす支柱間のゲートを通過して所定の位置に配設されるものであり、ゲートにおける上端辺および下端辺の幅は、橋桁用ブロックの幅よりも狭くされ、ゲートにおける高さ方向途中位置に、橋桁用ブロックの幅よりも広く拡幅部が形成されており、橋桁用ブロックがゲートを通過する際、仮設材が倒伏状態とされているようにすることができる。
【発明の効果】
【００１７】
本発明に係る仮設材支持装置によれば、仮設材を用いる場合に、仮設材の取り外しならびに再度組み立てる手間を省略し、仮設材が邪魔となることを防止することができる。
【図面の簡単な説明】
【００１８】
【図１】仮設さや管装置が設けられた橋桁ブロックの斜視図である。
【図２】仮設さや管装置が設けられた橋桁ブロックの正面図である。
【図３】仮設さや管装置の斜視図である。
【図４】橋桁の側面図である。
【図５】橋桁設置装置の斜視図である。
【図６】橋桁設置装置の正面図である。
【図７】橋桁を組み立てる状態を示す斜視図である。
【図８】橋桁を取り付ける工程の一部を示す斜視図である。
【図９】図８に続く工程を示す斜視図である。
【図１０】図９に続く工程を示す斜視図である。
【図１１】図１０に続く工程を示す斜視図である。
【図１２】第２実施形態に係る仮設さや管装置を示す斜視図である。
【図１３】第３実施形態に係る仮設さや管装置を示す断面図である。
【図１４】第４実施形態に係る仮設さや管装置を示す斜視図である。
【図１５】第５実施形態に係る仮設柵支持装置を示す斜視図である。
【発明を実施するための形態】
【００１９】
以下、図面を参照して、本発明の好適な実施形態について説明する。なお、各実施形態において、同一の機能を有する部分については同一の符号を付し、重複する説明は省略することがある。図１は、本発明の実施形態に係る仮設さや管装置が設けられた橋桁ブロックの斜視図、図２は、その正面図である。本実施形態では、仮設柵支持装置として、仮設材における単管パイプ（支柱）が挿入される仮設さや管装置について説明する。
【００２０】
図１および図２に示す本実施形態に係る橋桁用ブロックである橋桁ブロックＢは、線路が敷設される橋梁に用いられるものであり、複数の橋桁ブロックＢが並設されて橋桁が構築され、複数の橋桁が並設されて橋梁が構築される。図１および図２に示すように、橋桁ブロックＢは、プレキャストコンクリート部１および本発明の仮設材である仮設柵２を備えている。また、仮設柵２は、本発明の仮設さや管装置３によってプレキャストコンクリート部１に固定されて仮設されている。
【００２１】
プレキャストコンクリート部１は、路盤構成部１１を備えており、路盤構成部１１に下方には、断面略矩形の補強部１２が設けられている。また、路盤構成部１１における両方の側部には、それぞれ地覆１３が立ち上げられている。地覆１３は、例えば橋面よりも一段高くなっている。地覆１３には、複数のアンカーボルト１４が埋設されており、これらのアンカーボルト１４は、いずれも地覆１３から突出し、上下方向に沿って延在している。
【００２２】
アンカーボルト１４は、橋梁が完成した際に、線路の側方に高欄等を設ける際に利用するために取り付けられているものである。本実施形態に係る仮設さや管装置３は、高欄等を本設する前段階における橋梁の構築途中で仮設柵２を仮設しておく際にこのアンカーボルト１４を利用している。
【００２３】
仮設柵２は、単管パイプからなる縦材２１を２本備えるとともに、やはり単管パイプからなる横材２２を３本備えている。縦材２１は、互いに路盤構成部１１の長さ方向に離間して配設されており、いずれも上下方向に沿って延在している。また、横材２２は、互いに高さ方向に離間して配設されており、いずれも水平方向に沿って延在している。
【００２４】
また、横材２２は、縦材２１との交差位置において、クランプ２３によって縦材２１に対して固定されている。さらに、縦材２１および横材２２には、略矩形の外形をなす養生枠２４が番線によって括り付けられて固定されており、路盤構成部１１上における物や作業員の落下を防止している。養生枠２４によって、本発明の柵体が構成されている。
【００２５】
仮設柵２をプレキャストコンクリート部１に固定する仮設さや管装置３は、図３にも示すように、固定部材３１を備えている。固定部材３１は、略Ｌ字形状をなしており、鉛直片３１Ａおよび水平片３１Ｂを備えている。水平片３１Ｂは、鉛直片３１Ａの上端部に接続されている。
【００２６】
鉛直片３１Ａの上端部には、一対のブラケット３２が設けられている。また、鉛直片３１Ａにおけるブラケット３２が設けられた側の下端部には、ヒンジ機構３３（揺動機構）が設けられおり、ヒンジ機構３３にさや管３４が回動可能（揺動可能）に取り付けられている。
【００２７】
さや管３４における上面には開口部が形成されており、縦材２１を構成する単管パイプが挿入可能とされている。さや管３４に縦材２１が挿入されることにより、仮設柵２がプレキャストコンクリート部１に取り付けられる。また、さや管３４の上端部は、一対のブラケット３２の間に挟み込まれて配置されている。さらに、ブラケット３２の先端部には、ピン貫通孔３５が形成されており、ピン貫通孔３５には、棒状のピン３６が挿入されている。
【００２８】
さや管３４は、例えば角筒体であり、下端部に底板が設けられている。また、一対のブラケット３２は、角筒体の側壁の外面に当接可能な位置に設けられている。例えば、起立状態のさや管３４の上端部の側壁に当接するように、一対のブラケット３２が配置されていてもよい。一対のブラケット３２は、さや管３４の軸線方向と交差する方向に、延在している。
【００２９】
ピン貫通孔３５にピン３６が挿入された状態では、さや管３４の回動がピン３６によって抑制され、さや管３４が回動不能とされている。また、ピン３６をピン貫通孔３５から抜き取ることにより、さや管３４がヒンジ機構３３によって回動可能とされる。さや管３４は、ヒンジ機構３３によって回動することにより、起立状態と倒伏状態との間で変化可能とされている。さや管３４が起立状態および倒伏状態となることにより、仮設柵２も起立状態および倒伏状態となる。さや管３４が起立状態のときには、図２に仮想線で示すように、仮設柵２が起立状態となる。また、さや管３４が倒伏状態のときには、図２に実線で示すように、仮設柵２が倒伏状態となる。ブラケット３２、ヒンジ機構３３、ピン貫通孔３５、ピン３６等によって、さや管３４（支持部）の静止位置を規制する位置規制部が形成されている。
【００３０】
さらに、固定部材３１における鉛直片３１Ａの底部には、固定プレート３７（固定部）が設けられている。固定プレート３７は、水平片３１Ｂの下方位置に配置されている。また、固定プレート３７には、貫通孔３７Ａ，３７Ｂが形成されており、水平片３１Ｂには、ボルト取付孔３１Ｃ，３１Ｄが形成されている。貫通孔３７Ａ，３７Ｂは、固定プレート３７の長手方向に離間して配置され、ボルト取付孔３１Ｃ，３１Ｄは、水平片３１Ｂの長手方向に離間して配置されている。貫通孔３７Ａとボルト取付孔３１Ｃとが、平面視において同じ位置に形成され、貫通孔３７Ｂとボルト取付孔３１Ｄとが、平面視において同じ位置に形成されている。
【００３１】
また、固定部材３１には、水平片３１Ｂと固定プレート３７とを上下方向に連結する連結板３８が設けられている。連結板３８は、貫通孔３７Ａと貫通孔３７Ｂとの間に配置されている。連結板３８は、下方から水平片３１Ｂを支持している。これにより、水平片３１Ｂの下方への変形を抑制することができる。
【００３２】
プレキャストコンクリート部１に設けられたアンカーボルト１４Ａは、固定プレート３７における貫通孔３７Ａを貫通し、その上端部がわずかに水平片３１Ｂから突出した位置まで延在している。同様に、プレキャストコンクリート部１に設けられたアンカーボルト１４Ｂは、固定プレート３７における貫通孔３７Ｂを貫通し、その上端部がわずかに水平片３１Ｂから突出した位置まで延在している。アンカーボルト１４Ａ，１４Ｂの上端部には、水平片３１Ｂを挟んだ図示しないナットが締め付けられている。このナットによって、アンカーボルト１４Ａ，１４Ｂに水平片３１Ｂが固定されている。
【００３３】
また、固定部材３１は、固定プレート３７の鉛直片３１Ａが設けられている側の端部から下方に屈曲された屈曲片３９を備えている。屈曲片３９は上下方向に延在し、プレキャストコンクリート部１の上下方向に延在する面に沿って配置されている。固定プレート３７と屈曲片３９とは、例えば直交するように形成され、地覆１３のコーナー部に配置されている。屈曲片３９の表面には、ヒンジ機構３３が取り付けられている。図３に示すように、さや管３４の起立状態において、屈曲片３９とさや管３４とが当接しているので、さや管３４の位置を規制することができる。
【００３４】
また、図４に示すように、１５個の橋桁ブロックＢを並設して橋桁Ｘが構成される。橋桁Ｘは、橋桁設置位置とは異なる位置で複数の橋桁ブロックＢを並設し、これらを拘束することによって構築される。複数の橋桁ブロックＢによって構成された橋桁Ｘは、所定の取付位置まで搬送させ、図５に示す橋桁設置装置４によって取付位置に取り付けられる。橋桁Ｘには、図２にも示すように、線路の枕桁Ｍや軌条桁Ｒが敷設されている。
【００３５】
橋桁設置装置４は、第１ゲート４１および第２ゲート４２を備えており、第１ゲートと第２ゲート４２との間に橋桁吊下装置４３が設けられている。第１ゲート４１および第２ゲート４２は、いずれも門型をなしている。第１ゲート４１および第２ゲート４２における上端辺および下端辺の幅は、いずれも橋桁Ｘの幅よりも狭くされている。また、図６にも示すように、第１ゲート４１における高さ方向途中位置には、橋桁Ｘの幅よりも広い拡幅部４１Ａが形成されている。
【００３６】
また、橋桁吊下装置４３は、図示しない橋桁吊下構造４３Ａおよび橋桁吊下構造４３Ａとともに橋桁Ｘを上下動させるシリンダ装置４３Ｂを備えている。橋桁吊下構造４３Ａよって橋桁を吊り下げ状態でシリンダ装置４３Ｂを作動させることにより、橋桁吊下機構を降下させることにより、橋桁Ｘを降下させることができる。さらに、橋桁吊下装置４３は、自走可能とされており、橋桁Ｘを降下させて所定の設置位置に設置した後、次の橋桁Ｘの設置位置まで移動する。
【００３７】
次に、本実施形態に係る橋桁ブロックの設置手順について説明する。図７〜図１１は、本実施形態に係る橋桁ブロックを設置する際の設置手順を示す工程図である。橋桁ブロックを設置する際に先だって、図７に示すように、組立位置において、複数の橋桁ブロックＢ（図１）を組み立てて、橋桁Ｘとする。組立位置では、橋桁ブロックＢを１個ずつ地上から揚送し、所定数、本実施形態では１５個の橋桁ブロックＢを並べる。１５個の橋桁ブロックＢを並べたら、図示しないワイヤ等によってこれらの橋桁ブロックＢを締め付けて一体化し、橋桁Ｘとする。
【００３８】
橋桁ブロックＢを組み立てる際に、橋桁ブロックＢに対して仮設柵２を取り付ける。仮設柵２の取り付けについては、図３に示すように、プレキャストコンクリート部１の地覆１３に設けられたアンカーボルト１４に対して、仮設さや管装置３を取り付け、この仮設さや管装置３を介して仮設柵２の取付を行う。
【００３９】
仮設柵２の取付が済んだら、プレキャストコンクリート部１上に複数の枕桁Ｍを設置し、枕桁Ｍの上に軌条桁Ｒを敷設する。枕桁Ｍの設置および軌条桁Ｒの敷設作業を行う間、仮設柵２を起立状態として置く。こうして、作業中におけるプレキャストコンクリート部１上からの作業員や物などの落下を仮設柵２によって防止する。
【００４０】
プレキャストコンクリート部１における枕桁Ｍの設置および軌条桁Ｒの敷設作業等完了後、台車Ｄ上に橋桁Ｘを搭載して、橋桁設置装置４後端まで橋桁Ｘを搬送する。橋桁設置位置には、橋桁Ｘを設置するための橋桁設置装置４が配置されており、図８に示すように、橋桁Ｘを橋桁設置位置まで搬送するにあたり、橋桁設置装置４における第１ゲート４１を通過する。ここで、第１ゲート４１における上端辺および下端辺の幅は、橋桁ブロックＢの幅よりも狭くされており、この幅では、橋桁Ｘが第１ゲート４１を通過することができない。そこで、第１ゲート４１には、橋桁ブロックＢの幅よりも広い拡幅部４１Ａが形成されており、この拡幅部４１Ａを介して橋桁Ｘが通過可能とされている。
【００４１】
このときに、仮設柵２が起立状態であると、仮設柵２が第１ゲート４１の拡幅部４１Ａと交錯してしまい、橋桁Ｘが第１ゲート４１を通過できなくなってしまう。そこで、仮設柵２を起立状態から倒伏状態に変化させる。仮設柵２は、仮設さや管装置３に取り付けられているため、仮設柵２を起立状態から倒伏状態に変化させるためには、仮設さや管装置３を用いる。
【００４２】
仮設柵２が起立状態となっている際には、仮設さや管装置３におけるピン貫通孔３５にピン３６が挿入されており、仮設柵２における縦材２１が取り付けられたさや管３４が起立状態に維持されて仮設柵２も起立状態とされている。この起立状態から倒伏状態に変化させる際には、仮設さや管装置３におけるピン貫通孔３５からピン３６を引き抜く。すると、さや管３４が起立状態から倒伏状態となり、仮設柵２も倒伏状態となる。このようにして仮設柵２を起立状態から倒伏状態とすることができる。
【００４３】
仮設柵２を倒伏状態としたら、台車Ｄによって、橋桁Ｘを橋桁設置位置まで移動させる。その後、作業の安全上、仮設柵２を倒伏状態から起立状態とし、図９に示すように、橋桁吊下装置４３における橋桁吊下構造４３Ａによって橋桁Ｘを吊り下げ、台車Ｄを後退させる。その後、図９に示すようにそのままシリンダ装置４３Ｂを作動させて、既設の橋桁の位置まで橋桁Ｘを降下させる。それから、既設の橋桁における既設軌条桁ＥＲと、橋桁Ｘにおける軌条桁Ｒとを接続する。ここで、既設の橋桁では、仮設柵２が起立した状態となっており、既設の橋桁上における作業員や物などの落下を防止ししている。
【００４４】
図９に示す橋桁Ｘの降下作業が済んだら、図１０に示すように、橋桁設置装置４を前方における次の橋桁設置位置に移動させる。このとき、橋桁Ｘは、既設の橋桁となっているため、橋桁設置装置４の第１ゲート４１の下部部材が図９で示す起立状態である仮設柵２と支障する。よって、再度、起立状態に仮設柵２を、倒伏状態とすることとする。
【００４５】
橋桁設置装置４の移動完了後は橋桁設置装置４の第１ゲート４１の下部部材は仮設柵２と支障することはないで、図１１に示すように起立状態とする。こうして橋桁Ｘ上での取替作業が終了する。
【００４６】
以後、所定の長さとなるまで同様の工程で橋桁Ｘの設置を繰り返して、橋梁を構築する。橋梁の構築を行っている間、既設の橋桁における仮設柵２は起立状態を維持しておき、既設の橋桁上における作業員や物などの落下を防止する。その後、所定数の橋桁の設置が終了した後、あるいは橋梁の構築がある程度進んだ時点で、アンカーボルト１４から仮設柵２および仮設さや管装置３を取り外し、本設の高欄等を施工する。
【００４７】
このように、本実施形態に係る仮設さや管装置３には、仮設柵２が取り付けられており、仮設柵２が設けられていることにより、橋桁Ｘを用いて橋梁を構築している最中における橋桁Ｘからの作業員や物などの落下を防止することができる。ところが、仮設柵２が起立状態のときには、橋桁設置装置４における第１ゲート４１を通過することができず、橋梁の構築の邪魔となることとなる。
【００４８】
この点、仮設柵２が取り付けられている仮設さや管装置３は、さや管３４を起立状態と倒伏状態とに変化させるヒンジ機構３３を備えている。このため、さや管３４に挿入された仮設柵２を倒伏状態とすることにより、仮設柵２が橋桁Ｘを搬送する際の邪魔となることを防止することができる。
【００４９】
また、仮設柵２はヒンジ機構３３によって容易に起立状態と倒伏状態とを変化させることができるので、仮設柵２の取り外しの手間を無くすることができる。その結果、橋梁を構築するときに仮設柵２を用いる場合に、仮設柵２の取り外しの手間を省略しながら、仮設柵２が橋梁の構築の邪魔となることを防止することができる。
【００５０】
さらに、さや管３４によって仮設柵２を起立状態に維持する際には、仮設さや管装置３における一対のブラケット３２に形成されたピン貫通孔３５にピン３６を挿入しておくことで済むので、仮設柵２の起立状態を容易に維持することができる。このとき、ピン貫通孔３５からピン３６を引き抜くことにより、さや管３４が起立状態から倒伏状態となり、起立状態にある仮設柵２を倒伏状態とすることができる。したがって、起立状態にある仮設柵２を容易に倒伏状態とすることができる。
【００５１】
また、仮設柵２は、プレキャストコンクリート部１の地覆１３における本設の防音壁を設けるためのアンカーボルト１４に設けられている。このため、仮設柵２を設けるためのアンカーなどを別途設ける必要がないので、装置全体の簡素化を図ることができる。さらに、本実施形態では、橋桁Ｘを設置する際に、橋桁Ｘは、幅狭の第１ゲート４１を通過することが必要となり、橋桁Ｘが第１ゲート４１を通過する際には、仮設柵２を倒伏状態とする必要がある。この点、仮設さや管装置３を用いていることにより、仮設柵２を起立状態から倒伏状態に容易に変化させることができる。
【００５２】
以上、本発明の好適な実施形態について説明したが、本発明は上記実施形態に限定されるものではない。たとえば、上記実施形態では、仮設さや管装置３を橋桁ブロックＢに取り付けるようにしているが、ある一定の高欄等アンカーボルトの配置を有する高架橋コンクリート構造物などを構築する際に仮設さや管を用いることもできる。
【００５３】
また、上記実施形態では、地覆１３に設けられたアンカーボルト１４に対して仮設さや管装置３を取り付けているが、地覆１３以外の位置に設けられたアンカーボルトや他の部材に対して、仮設さや管装置３を設けることもできる。さらに、上記実施形態では、ピン３６によってさや管３４および仮設柵２の起立状態を維持しているが、その他のストッパなどを用いてさや管３４および仮設柵２の起立状態を維持することもできる。
【００５４】
また、上記実施形態では、コンクリート構造物に設けられたアンカーボルト１４Ａ，Ｂに、仮設さや管装置３を固定しているが、図１２に示すように、インサートアンカー１４Ｃによって、仮設さや管装置３を構造物に固定してもよい。この場合には、仮設さや管装置３を取り外した後に、アンカーボルト１４Ａ，１４Ｂが突出しないので、仮設さや管装置３を取り外した後に、アンカーボルト１４Ａ，１４Ｂが邪魔にならない。
【００５５】
また、上記実施形態では、コンクリート構造物に仮設さや管装置３を固定しているが、図１３に示すように、例えば鋼構造物５に、仮設さや管装置３を固定してもよい。鋼構造物５の天板６には、固定プレート３７の貫通孔３７Ａ，３７Ｂの位置に対応するように、ボルト取付孔６Ａ，６Ｂが開口されている。天板６の裏面には、ボルト取付孔６Ａ，６Ｂを下方から覆うように、袋ナット５１が溶接されている。ボルト５２は、貫通孔３７Ａ，３７Ｂに挿通されて、袋ナット５１に螺合している。これにより、固定部材３１が鋼構造物５に固定される。
【００５６】
また、上記実施形態では、ピン３６とさや管３４とを当接させて、起立状態のさや管３４の静止位置を規制しているが、例えば、さや管３４に設けられた位置決め用のブラケットのピン貫通孔にピン３６を挿通させて、さや管３４の静止位置を規制してもよい。位置決め用ブラケットは、さや管３４の外周面から張り出すように形成され、一対のブラケット３２と平行に配置可能に設けられている。位置決め用ブラケットには、ピン貫通孔が開口され、このピン貫通孔は、一対のブラケット３２のピン貫通孔３５の位置に対応するように形成されている。ピン３６を両方のピン貫通孔に挿通させることで、さや管３４の静止位置を規制することができる。また、図１３に示すように、さや管３４の側面に調整板を貼り合せることで板厚を調整し、ピン３６によって規制されるさや管３４の静止位置を調整してもよい。
【００５７】
また、上記実施形態では、さや管３４の起立状態の静止位置を規定しているが、さや管３４が傾斜している状態の静止位置を規定してもよい。図１４に示す仮設さや管装置３は、長手方向に離間して複数のピン貫通孔５４が形成された一対のブラケット３２を備えている。ピン貫通孔５４にピン３６を貫通させることで、さや管３４の移動方向の両側からさや管３４の静止位置を規定することができる。一対のピン３６によってさや管３４を挟むことで、さや管３４を傾斜させた状態で静止位置を規定することができる。
【００５８】
また、上記実施形態では、縦材である短管パイプ２１をさや管３４に挿入しているが、短管パイプ２１内に支持部６２の凸部６２Ａを挿入することで、短管パイプ２１を支持する仮設材支持装置６１でもよい。図１５に示す仮設材支持装置６１は、仮設材である短管パイプ２１（支柱）が嵌められる支持部６２（突出軸体）を備え、この支持部６２には、短管パイプ２１内に挿入される凸部６２Ａが設けられている。この凸部６２Ａの側面には、外方に張り出すピン６２Ｂが設けられている。このピン６２Ｂは、出没可能な構成とされ、ピン６２Ｂが短管パイプ２１の凹部６３（貫通孔）に挿入されることで、短管パイプ２１の長手方向の保持位置を規制することができる。
【００５９】
また、この仮設材支持装置６１は、構造物に固定される固定プレート６４から上方へ張り出す一対のブラケット６５を、支持部６２を挟んで２組備えている。支持部６２は、ブラケット６５のピン貫通孔３５に貫通されたピン３６によって、起立状態の静止位置が規制されている。このような仮設柵支持６１においても、上記実施形態の仮設さや管装置３と同様の作用効果を奏する。
【００６０】
また、本発明の仮設材支持装置が固定される構造物としては、例えば、鋼製橋桁、コンクリート製橋桁（鉄筋コンクリート、ＰＣ；プレストレストコンクリート、鋼とコンクリートの合成構造、繊維補強コンクリート）、橋台、橋脚、見晴し台、展望台、トンネル内に設置された仮構台、立坑内に設置された仮構台、建設途中のビルの鉄骨骨組み、建設途中のビルのフロア、建設途中のビルの外部足場、鉄塔の足場などである。その他、転落のおそれがある箇所であって、構造物の端部に、仮設材支持装置を設置してもよい。橋桁としては、鉄道橋、道路橋、人道橋、水道等のライフラインをわたす橋などが挙げられる。
【００６１】
仮設材支持装置が設置される目的は、例えば、施工中の構造物端部や幅の狭い渡し部材上において柵や手すりを設けることであり、人や物が落ちないようにすること、安全な工事用通路を確保することなどである。また、施工の進捗に応じて通路ゲート方向が変化する場合には、仮設材支持装置を用いて仮設材を倒伏状態とすることで、往来を確保する方向の柵や手すりの一時撤去が容易となる。さらに災害復旧資材として仮設材を設置する際に、仮設材支持装置を適用することが可能である。
【００６２】
また、本発明の仮設材支持装置は、例えば、削孔してアンカーを打設（モルタル、樹脂、金属メカニカルアンカー）することで、所定の強度の簡易防護柵（仮設柵）を設置することができるので、災害地域の復旧資材として本設柵（恒久的な柵）が構築されるまでの仮防護として利用することができる。さらに、避難時などに、柵を開閉させる必要がある場所に、本発明の仮設材支持装置を配置して、仮設柵を起立状態又は倒伏状態へ姿勢変化させてもよい。
【００６３】
複数の仮設材支持装置を一組として、共通の仮設柵を支持することで、所定の幅（１．５ｍ）の仮設柵を揺動させて、姿勢変化させてもよい。
【符号の説明】
【００６４】
１…プレキャストコンクリート部
２…仮設柵
３…仮設さや管装置（仮設材支持装置）
４…橋桁設置装置
５…鋼構造物
６…天板
６Ａ，６Ｂ…ボルト取付孔
１１…路盤構成部
１２…補強部
１３…地覆
１４，１４Ａ，１４Ｂ…アンカーボルト
１４Ｃ…インサートアンカー
２１…縦材
２２…横材
２３…クランプ
２４…養生枠
２５…エキスパンドメタル
３１…固定部材
３１Ａ…鉛直片
３１Ｂ…水平片
３１Ｃ，３１Ｄ…ボルト取付孔
３２…ブラケット
３３…ヒンジ機構
３４…さや管
３５…ピン貫通孔
３６…ピン
３７…固定プレート
３７Ａ，３７Ｂ…貫通孔
３８…連結板
３９…屈曲片
４１…第１ゲート
４１Ａ…拡幅部
４２…第２ゲート
４３…橋桁吊下装置
４３Ａ…橋桁吊下構造
４３Ｂ…シリンダ装置
５１…袋ナット
５２…ボルト
５３…ブラケット
５４…ピン貫通孔
６１…仮設柵支持装置
６２…支持部（突出軸体）
６２Ａ…凸部
６２Ｂ…ピン（短管パイプの位置決め用）
６３…凹部
６４…固定プレート
６５…一対のブラケット
Ｂ…橋桁ブロック
Ｃ…線路
ＣＲ…線路
Ｄ…台車
Ｍ…枕桁
ＥＲ…軌条桁
Ｘ…橋桁
【図１】
2014105473.tif 000003
【図２】
2014105473.tif 000004
【図３】
2014105473.tif 000005
【図４】
2014105473.tif 000006
【図５】
2014105473.tif 000007
【図６】
2014105473.tif 000008
【図７】
2014105473.tif 000009
【図８】
2014105473.tif 000010
【図９】
2014105473.tif 000011
【図１０】
2014105473.tif 000012
【図１１】
2014105473.tif 000013
【図１２】
2014105473.tif 000014
【図１３】
2014105473.tif 000015
【図１４】
2014105473.tif 000016
【図１５】
2014105473.tif 000017